(57)【要約】【課題】画質の劣化を抑制しつつ、消費電力を低減することにある。【解決手段】第１の色を表示する第１副画素、第２の色を表示する第２副画素、第３の色を表示する第３副画素、及び、第４の色を表示する第４副画素を含む画素が２次元マトリクス状に配列された画像表示パネルと、入力信号の入力ＨＳＶ色空間の入力値を、第１の色、第２の色、第３の色及び第４の色で再現される再現ＨＳＶ色空間の再現値に変換して生成し、生成した出力信号を画像表示パネルに出力する信号処理部と、を備える。信号処理部は、再現ＨＳＶ色空間を彩度、明度及び色相の少なくとも１つで複数に分割し、分割した複数の空間のうち少なくとも２つの空間に対して、色相及び彩度の値の組み合わせにおいて再現ＨＳＶ色空間の明度の最大値に対して当該最大値を超える幅の割合の上限である限界値として異なる値を設定し、その値を用いて伸張係数を決定する。【選択図】図５
2014112180.tif 000002
【特許請求の範囲】
【請求項１】
第１の色を表示する第１副画素、第２の色を表示する第２副画素、第３の色を表示する第３副画素及び第４の色を表示する第４副画素を含む画素が２次元マトリクス状に配列された画像表示パネルと、
入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を備え、
前記信号処理部は、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定し、
前記入力信号の各副画素の信号に対して乗算した値のうち明度の最大値を超える値が、前記明度の最大値に前記限界値を乗算した値を超えない範囲で、前記入力信号に対する伸張係数αを算出し、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力することを特徴とする表示装置。
【請求項２】
前記信号処理部は、前記彩度を基準として前記再現ＨＳＶ色空間を２つ以上の空間に分割することを特徴とする請求項１に記載の表示装置。
【請求項３】
前記信号処理部は、前記彩度が最も高い空間の前記限界値を、前記彩度が２番目に高い空間の前記限界値よりも小さくすることを特徴とする請求項２に記載の表示装置。
【請求項４】
前記信号処理部は、前記彩度が最も小さい空間の前記限界値を、前記彩度が２番目に小さい空間の前記限界値よりも小さくすることを特徴とする請求項２または３に記載の表示装置。
【請求項５】
前記信号処理部は、前記色相を基準として前記再現ＨＳＶ色空間を２つ以上の空間に分割することを特徴とする請求項１から４のいずれか一項に記載の表示装置。
【請求項６】
前記信号処理部は、前記明度を基準として前記再現ＨＳＶ色空間を２つ以上の空間に分割することを特徴とする請求項１から５のいずれか一項に記載の表示装置。
【請求項７】
前記信号処理部は、前記再現ＨＳＶ色空間の全空間に前記明度の限界値を設定することを特徴とする請求項１から６のいずれか一項に記載の表示装置。
【請求項８】
前記信号処理部は、前記再現ＨＳＶ色空間の全空間の一部に前記明度の限界値を設定しない空間を含むことを特徴とする請求項１から７のいずれか一項に記載の表示装置。
【請求項９】
前記第４の色は、白色であることを特徴とする請求項１から８のいずれか一項に記載の表示装置。
【請求項１０】
前記限界値は、０以上０．２０以下であることを特徴とする請求項１から９のいずれか一項に記載の表示装置。
【請求項１１】
請求項１から１０のいずれか一項に記載の表示装置と、
前記表示装置に前記入力信号を供給する制御装置と、を有する電子機器。
【請求項１２】
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を備える表示装置の駆動方法であって、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定するステップと、
前記入力信号の各副画素の信号に対して乗算した値のうち明度の最大値を超える値が、前記明度の最大値に前記限界値を乗算した値を超えない範囲で、前記入力信号に対する伸張係数αを算出するステップとし、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力するステップと、を含むことを特徴とする表示装置の駆動方法。
【発明の詳細な説明】
【技術分野】
【０００１】
本技術は、表示装置及びその駆動方法に関する。また、本技術は、上記の表示装置を備えた電子機器に関する。
【背景技術】
【０００２】
近年、携帯電話や電子ペーパーなどのモバイル機器向け等の表示装置の需要が高くなっている。表示装置では、１つの画素が複数の副画素を備え、当該複数の副画素がそれぞれ異なる色の光を出力し、当該副画素の表示のＯＮ、ＯＦＦを切り換えることで、１つの画素で種々の色を表示させている。このような表示装置には、白色を含む４つの副画素を１つの画素とするものがある（特許文献１及び２参照）。
【０００３】
特許文献１には、第１、第２、第３及び第４副画素から構成された画素が、２次元マトリクス状に配列されて成る画像表示パネルと、入力信号が入力され、出力信号を出力する信号処理部とを備えた表示装置が記載されている。表示装置は、３原色に第４の色を加えることでＨＳＶ色空間を３原色の場合よりも拡大することができる。信号処理部は、彩度Ｓを変数とした明度の最大値Ｖｍａｘ（Ｓ）を記憶しており、入力信号の信号値に基づき彩度Ｓ及び明度Ｖ（Ｓ）を求め、Ｖｍａｘ（Ｓ）／Ｖ（Ｓ）の値の内の少なくとも１つの値に基づいて伸長係数α０を求め、第４副画素への出力信号値を、少なくとも第１、第２及び第３副画素への入力信号値に基づき求め、第１、第２及び第３副画素への出力信号値を、入力信号値、伸長係数α０、及び、第４出力信号値に基づき算出する。
【０００４】
また、特許文献２には、赤、緑、青のカラーフィルタを有する副画素と、白色の光の透過を制御するための副画素とを有する複数の画素が設けられた表示パネルと、赤、緑、青、及び白の光源を有するバックライト部と、表示パネルを動画モードで表示するか、または静止画モードで表示するかを切り替える画像切替回路と、動画モードでは画像信号に応じてバックライト部の赤、緑、青の輝度の制御をし、静止画モードでは画像信号に応じてバックライト部の白の光源の輝度の制御をする表示制御回路と、有する表示装置が記載されている。また、特許文献３には、信号処理部において、複数の画素における副画素の入力信号値に基づき、該複数の画素における彩度Ｓ及び明度Ｖ（Ｓ）を求め、明度Ｖ（Ｓ）と伸長係数α０の積から求められた伸長された明度の値が最大値Ｖｍａｘ（Ｓ）を越える画素の全画素に対する割合が所定の値（β０）以下となるように伸長係数α０を決定する。
【先行技術文献】
【特許文献】
【０００５】
【特許文献１】特開２０１０−３３００９号公報
【特許文献２】特開２０１１−２４８３５２号公報
【特許文献３】特開２０１１−１５４３２３号公報
【発明の概要】
【発明が解決しようとする課題】
【０００６】
特許文献１から特許文献３に示すように複数の副画素のうち、画像信号に基づいて、１つの副画素（基本的には白の副画素）で拡張したＨＳＶ領域に対応させて、画像信号を伸張させることで、光源の光量を低下させて、所望の画像を再現することができる。また、光源の光量を大きくせずに画像を明るくすることができる。
【０００７】
しかしながら、画像信号を伸張すると画質が低下（劣化）する場合がある。これに対して、特許文献３に記載の表示装置を用いて、伸張係数を決定することで、画質の低下を抑制することはできるが、消費電力の低減の効果が少なくなってしまう場合がある。
【０００８】
本技術はかかる問題点に鑑みてなされたもので、その目的は、画質の劣化を抑制しつつ、消費電力を低減することが可能な表示装置、それを備える電子機器及び表示装置の駆動方法を提供することにある。
【課題を解決するための手段】
【０００９】
上述した課題を解決し、目的を達成するために、本技術は、第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を備え、前記信号処理部は、前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定し、前記入力信号の各副画素の信号に対して乗算した値のうち明度の最大値を超える値が、前記明度の最大値に前記限界値を乗算した値を超えない範囲で、前記入力信号に対する伸張係数αを算出し、少なくとも前記第１副画素の入力信号及び前記伸長係数αに基づいて前記第１副画素の出力信号を算出して前記第１副画素へ出力し、少なくとも前記第２副画素の入力信号及び前記伸長係数αに基づいて前記第２副画素の出力信号を算出して前記第２副画素へ出力し、少なくとも前記第３副画素の入力信号及び前記伸長係数αに基づいて前記第３副画素の出力信号を算出して前記第３副画素へ出力し、前記第１副画素の入力信号、前記第２副画素の入力信号及び前記第３副画素の入力信号に基づいて前記第４副画素の出力信号を算出し、前記第４副画素へ出力することを特徴とする。
【発明の効果】
【００１０】
本技術による表示装置、それを備える電子機器及び表示装置の駆動方法によれば、再現ＨＳＶ色空間を複数の空間に分割し、かつ、限界値に異なる値を設定することで、画質の劣化を抑制しつつ、消費電力を低減することができる。
【図面の簡単な説明】
【００１１】
【図１】図１は、本技術による一実施形態に係る表示装置の構成の一例を示すブロック図である。
【図２】図２は、図１の表示装置における画像表示パネル及び画像表示パネル駆動回路の概念図である。
【図３】図３は、本実施形態の表示装置で再現可能な再現ＨＳＶ色空間の概念図である。
【図４】図４は、再現ＨＳＶ色空間の色相と彩度との関係を示す概念図である。
【図５】図５は、再現ＨＳＶ色空間の彩度と明度との関係を示す概念図である。
【図６】図６は、空間を分割していない再現ＨＳＶ色空間の彩度と明度との関係を示す概念図である。
【図７】図７は、再現ＨＳＶ色空間の彩度と明度との関係を示す概念図である。
【図８】図８は、再現ＨＳＶ色空間の彩度と明度との関係を示す概念図である。
【図９】図９は、表示装置の制御動作の一例を示すフローチャートである。
【図１０】図１０は、一適用例に係る電子機器の構成の一例を示す斜視図である。
【図１１】図１１は、電子機器の制御動作の一例を示すフローチャートである。
【発明を実施するための形態】
【００１２】
以下、発明を実施するための形態について、図面を参照して詳細に説明する。なお、説明は以下の順序で行う。
１．実施の形態（表示装置及び表示装置の駆動方法）
１つの画素に白色の副画素を含む
入力信号に基づいて伸張係数を算出し、この伸張係数に基づいて出力信号を生成
再現ＨＳＶ色空間を複数の空間に分割し、空間毎に限界値を設定
２．適用例（電子機器）
上記実施の形態に係る表示装置が電子機器に適用されている例
【００１３】
＜１．実施形態＞
図１は、本技術による一実施形態に係る表示装置の構成の一例を示すブロック図である。図２は、図１の表示装置における画像表示パネル及び画像表示パネル駆動回路の概念図である。図１に示すように、本実施形態の表示装置１０は、表示装置１０の各部に信号を送り、動作を制御する信号処理部２０と、信号処理部２０から出力された出力信号に基づいて画像を表示させる画像表示パネル３０と、画像表示パネル３０の駆動を制御する画像表示パネル駆動回路４０と、画像表示パネル３０を背面から照明する面状光源装置５０と、面状光源装置５０の駆動を制御する面状光源装置制御回路６０と、を備える。なお、表示装置１０は、特開２０１１−１５４３２３号公報に記載されている画像表示装置組立体と同様の構成であり、特開２０１１−１５４３２３号公報に記載されている各種変形例が適用可能である。
【００１４】
信号処理部２０は、画像表示パネル３０及び面状光源装置５０の動作を制御する演算処理部である。信号処理部２０は、画像表示パネル３０を駆動するための画像表示パネル駆動回路４０、及び、面状光源装置５０を駆動するための面状光源装置制御回路６０と接続されている。信号処理部２０は、外部から入力される入力信号を処理して出力信号及び面状光源装置制御信号を生成する。つまり、信号処理部２０は、入力信号の入力ＨＳＶ色空間の入力値（入力信号）を、第１の色、第２の色、第３の色及び第４の色で再現される再現ＨＳＶ色空間の再現値（出力信号）に変換して生成し、生成した出力信号を画像表示パネル３０に出力する。信号処理部２０は、生成した出力信号を画像表示パネル駆動回路４０に出力し、生成した面状光源装置制御信号を面状光源装置制御回路６０に出力する。
【００１５】
画像表示パネル３０は、図２に示すように、第１原色（例えば、赤色）を表示する第１副画素Ｒ、第２原色（例えば、緑色）を表示する第２副画素Ｇ、第３原色（例えば、青色）を表示する第３副画素Ｂ、及び、第４の色（具体的には白色）を表示する第４副画素Ｗを含む画素４８が、Ｐ０×Ｑ０個（水平方向にＰ０個、垂直方向にＱ０個）、２次元マトリクス状に配列されている。
【００１６】
本実施形態の表示装置は、より具体的には、透過型のカラー液晶表示装置である。画像表示パネル３０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル３０は、第４副画素４９Ｗと画像観察者との間にカラーフィルタが配置されていない。ここで、第４副画素４９Ｗには、カラーフィルタの代わりに透明な樹脂層が備えられていてもよい。このように画像表示パネル３０は、透明な樹脂層を設けることで、第４副画素４９Ｗにカラーフィルタを設けないことによって第４副画素４９Ｗに大きな段差が生じることを防止することができる。
【００１７】
そして、画像表示パネル３０は、図２に示す例では、第１副画素４９Ｒ、第２副画素４９Ｇ、第３副画素４９Ｂ及び第４副画素４９Ｗをストライプ配列に類似した配列にて配置されている。なお、１つの画素に含まれる副画素の構成及びその配置は、特に限定されない。画像表示パネル３０が、第１副画素４９Ｒ、第２副画素４９Ｇ、第３副画素４９Ｂ及び第４副画素４９Ｗをダイアゴナル配列（モザイク配列）に類似した配列で配置してもよい。また、例えば、デルタ配列（トライアングル配列）に類似した配列、レクタングル配列に類似した配列等としてもよい。一般的には、ストライプ配列に類似した配列は、パーソナルコンピュータ等においてデータや文字列を表示するのに好適である。これに対して、モザイク配列に類似した配列は、ビデオカメラレコーダやデジタルスチルカメラ等において自然画を表示するのに好適である。
【００１８】
画像表示パネル駆動回路４０は、信号出力回路４１及び走査回路４２を備えている。画像表示パネル駆動回路４０は、信号出力回路４１によって、映像信号を保持し、順次、画像表示パネル３０に出力する。信号出力回路４１は、配線ＤＴＬによって画像表示パネル３０と電気的に接続されている。画像表示パネル駆動回路４０は、走査回路４２によって、画像表示パネル３０における副画素の動作（光透過率）を制御するためのスイッチング素子（例えば、ＴＦＴ）のＯＮ／ＯＦＦを制御する。走査回路４２は、配線ＳＣＬによって画像表示パネル３０と電気的に接続されている。
【００１９】
面状光源装置５０は、画像表示パネル３０の背面に配置され、画像表示パネル３０に向けて光を照射することで、画像表示パネル３０を照明する。面状光源装置５０は、画像表示パネル３０の全面に光を照射し、画像表示パネル３０を明るくする。面状光源装置制御回路６０は、面状光源装置５０から出力する光の光量等を制御する。具体的には、面状光源装置制御回路６０は、信号処理部２０から出力される面状光源装置制御信号に基づいて面状光源装置５０に供給する電圧等を調整することで、画像表示パネル３０を照射する光の光量（光の強度）を制御する。
【００２０】
次に、図３から図６を用いて、信号処理部２０で実行する処理動作について説明する。図３は、本実施形態の表示装置で再現可能な再現ＨＳＶ色空間の概念図である。図４は、再現ＨＳＶ色空間の色相と彩度との関係を示す概念図である。図５は、再現ＨＳＶ色空間の彩度と明度との関係を示す概念図である。図６は、空間を分割していない再現ＨＳＶ色空間の彩度と明度との関係を示す概念図である。
【００２１】
信号処理部２０は、外部から表示する画像の情報である入力信号が入力される。入力信号は、各画素に対して、その位置で表示する画像（色）の情報を入力信号として含んでいる。具体的には、第（ｐ、ｑ）番目の画素（但し、１≦ｐ≦Ｐ０，１≦ｑ≦Ｑ０）に対して、信号値がｘ１−（ｐ、ｑ）の第１副画素の入力信号、信号値がｘ２−（ｐ、ｑ）の第２副画素の入力信号、及び、信号値がｘ３−（ｐ、ｑ）の第３副画素の入力信号が含まれる信号が信号処理部２０に入力される。
【００２２】
信号処理部２０は、入力信号を処理することで、第１副画素４９Ｒの表示階調を決定するための第１副画素の出力信号（信号値Ｘ１−（ｐ、ｑ））、第２副画素４９Ｇの表示階調を決定するための第２副画素の出力信号（信号値Ｘ２−（ｐ、ｑ））、第３副画素４９Ｂの表示階調を決定するための第３副画素の出力信号（信号値Ｘ３−（ｐ、ｑ））、及び、第４副画素４９Ｗの表示階調を決定するための第４副画素の出力信号（信号値Ｘ４−（ｐ、ｑ））を生成し、画像表示パネル駆動回路４０に出力する。
【００２３】
ここで、表示装置１０は、画素４８に第４の色（白色）を出力する第４副画素４９Ｗを備えることで、図３に示すように、ＨＳＶ色空間（再現ＨＳＶ色空間）における明度のダイナミックレンジが広げられている。つまり、図３に示すように、第１副画素、第２副画素及び第３副画素で表示できる円柱形状のＨＳＶ色空間の上に、彩度が高くなるほど明度の最大値が低くなる、彩度軸と明度軸とを含む断面における形状が、斜辺が曲線となる略台形形状となる立体が載っている形状となる。信号処理部２０は、第４の色（白色）を加えることで拡大されたＨＳＶ色空間における彩度Ｓを変数とした明度の最大値Ｖmax（Ｓ）が、信号処理部２０に記憶されている。つまり、信号処理部２０は、図３に示すＨＳＶ色空間の立体形状について、彩度と色相の座標（値）毎に明度の最大値Ｖmax（Ｓ）の値を記憶している。ここで、入力信号は、第１副画素４９Ｒ、第２副画素４９Ｇ及び第３副画素４９Ｂの入力信号で構成されているため、入力信号のＨＳＶ色空間は、円柱形状、つまり、再現ＨＳＶ色空間の円柱形状部分と同じ形状となる。
【００２４】
次に、信号処理部２０は、少なくとも第１副画素の入力信号（信号値ｘ１−（ｐ、ｑ））及び伸長係数αに基づいて、第１副画素の出力信号（信号値Ｘ１−（ｐ、ｑ））を算出し、第１副画素４９Ｒへ出力し、少なくとも第２副画素の入力信号（信号値ｘ２−（ｐ、ｑ））及び伸長係数αに基づいて第２副画素の出力信号（信号値Ｘ２−（ｐ、ｑ））を算出し、第２副画素４９Ｇへ出力し、少なくとも第３副画素の入力信号（信号値ｘ３−（ｐ、ｑ））及び伸長係数αに基づいて第３副画素の出力信号（信号値Ｘ３−（ｐ、ｑ））を算出し、第３副画素４９Ｂへ出力し、第１副画素の入力信号（信号値ｘ１−（ｐ、ｑ））、第２副画素の入力信号（信号値ｘ２−（ｐ、ｑ））及び第３副画素の入力信号（信号値ｘ３−（ｐ、ｑ））に基づいて第４副画素の出力信号（信号値Ｘ４−（ｐ、ｑ））を算出し、第４副画素４９Ｗへ出力する。
【００２５】
具体的には、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００２６】
つまり、信号処理部２０は、χを表示装置に依存した定数としたとき、第（ｐ、ｑ）番目の画素（あるいは、第１副画素４９Ｒ、第２副画素４９Ｇ及び第３副画素４９Ｂの組）への第１副画素の出力信号値Ｘ１−（ｐ、ｑ）、第２副画素の出力信号値Ｘ２−（ｐ、ｑ）及び第３副画素の出力信号値Ｘ３−（ｐ、ｑ）を、以下の式から求める。
Ｘ１−（ｐ、ｑ）＝α・ｘ１−（ｐ、ｑ）−χ・Ｘ４−（ｐ、ｑ）
Ｘ２−（ｐ、ｑ）＝α・ｘ２−（ｐ、ｑ）−χ・Ｘ４−（ｐ、ｑ）
Ｘ３−（ｐ、ｑ）＝α・ｘ３−（ｐ、ｑ）−χ・Ｘ４−（ｐ、ｑ）
【００２７】
信号処理部２０は、第４の色を加えることで拡大されたＨＳＶ色空間における彩度Ｓを変数とした明度の最大値Ｖmax（Ｓ）を求め、複数の画素における副画素の入力信号値に基づき、これらの複数の画素における彩度Ｓ及び明度Ｖ（Ｓ）を求め、明度Ｖ（Ｓ）と伸長係数αの積から求められた伸長された明度の値が最大値Ｖmax（Ｓ）を超える画素の全画素に対する割合が限界値β（Ｌｉｍｉｔ値）以下となるように伸長係数αを決定する。つまり、信号処理部２０は、伸張された明度の値のうち明度の最大値を超える値が、最大値Ｖmax（Ｓ）に限界値βをかけた値を超えない範囲で、伸張係数αを決定する。ここで、限界値βは、色相及び彩度の値の組み合わせにおいて再現ＨＳＶ色空間の明度の最大値に対して当該最大値を超える幅の割合の上限の値（割合）となる。
【００２８】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素の入力信号値、第２副画素の入力信号値及び第３副画素の入力信号値の３つの副画素の入力信号値の最大値である。Ｍｉｎは、画素への第１副画素の入力信号値、第２副画素の入力信号値及び第３副画素の入力信号値の３つの副画素の入力信号値の最小値である。また、色相Ｈは、図４に示すように０°から３６０°で表される。０°から３６０°に向かって、赤（Ｒｅｄ）、黄色（Ｙｅｌｌｏｗ）、緑（Ｇｒｅｅｎ）、シアン（Ｃｙａｎ）、青（Ｂｌｕｅ）、マゼンダ（Ｍａｇｅｎｔａ）、赤となる。本実施形態では、角度０°を含む領域が赤となり、角度１２０°を含む領域が緑となり、角度２４０°を含む領域が青となる。
【００２９】
信号処理部２０は、彩度Ｓ、色相Ｈ及び明度Ｖの少なくとも１つを基準として、図３に示すＨＳＶ色空間（再現ＨＳＶ色空間）を複数の空間（色空間）に分割し、それぞれの領域に対して限界値βを設定している。
【００３０】
例えば、信号処理部２０は、図４及び図５に示すように、色相Ｈが０°≦Ｈ＜３６０°、彩度Ｓが０．８≦Ｓ、明度Ｖが０≦Ｖ≦Ｍａｘに含まれる空間の限界値β１を０．０１（１％）とし、色相Ｈが０°≦Ｈ＜３６０°、彩度ＳがＳ≦０．５、明度Ｖが０≦Ｖ≦Ｍａｘに含まれる空間の限界値β２を０．０１（１％）とし、色相Ｈが０°≦Ｈ＜９０°、彩度Ｓが０．５＜Ｓ＜０．８、明度Ｖが０≦Ｖ≦Ｍａｘに含まれる空間の限界値β３を０．０２５（２．５％）とし、色相Ｈが９０°≦Ｈ＜１８０°、彩度Ｓが０．５＜Ｓ＜０．８、明度Ｖが０≦Ｖ≦Ｍａｘに含まれる空間の限界値β４を０．０２５（２．５％）とし、色相Ｈが１８０°≦Ｈ＜２７０°、彩度Ｓが０．５＜Ｓ＜０．８、明度Ｖが０≦Ｖ≦Ｍａｘに含まれる空間の限界値β５を０．０２５（２．５％）とし、色相Ｈが２７０°≦Ｈ＜３６０°、彩度Ｓが０．５＜Ｓ＜０．８、明度Ｖが０≦Ｖ≦Ｍａｘに含まれる空間の限界値β６を０．０２５（２．５％）とする。
【００３１】
つまり、本実施形態では、彩度Ｓが０．５＜Ｓ＜０．８に含まれる場合と、０．５＜Ｓ＜０．８に含まれない（つまりＳ≦０．５または０．８≦Ｓである）場合とで、限界値βを異なる値とする。これにより、図５に示すように、Ｓ≦０．５の空間６０と、０．５＜Ｓ＜０．８の空間６２と、０．８≦Ｓの空間６４とで、明度Ｖの最大値を示す最大値線６６に対する限界値の値を示す限界値線６８との関係が変化する。これにより、信号処理部２０は、限界値線６８を図６に示すようにＨＳＶ色空間内における限界値βの値を一定にした場合の限界値線６９とは異なる線とすることができる。
【００３２】
ここで、図５及び図６は、丸印が入力信号の値であり、星印が伸張させた後の値である。図５の例は、彩度がＳ１´となる値の明度Ｖ（Ｓ１´）が、限界値線６８と接する値であるＶｍａｘ（Ｓ１´）となる伸張係数α´を当該画像の伸張係数とする。図６の例は、彩度がＳ１となる値の明度Ｖ（Ｓ１）が、限界値線６９と接する値であるＶｍａｘ（Ｓ１）となる伸張係数αを当該画像の伸張係数とする。
【００３３】
信号処理部２０は、限界値βを空間によって異なる値に設定することで、より好適に信号を伸張させることができる。例えば、画質への影響が大きい空間の限界値を小さくし、画質への影響が小さい空間の限界値を大きくすることで、画質を維持しつつ、伸張係数を高くすることができる。例えば、本実施形態のように、Ｓが１に近い領域（本実施形態では、０．８≦Ｓ）の限界値を、Ｓがより低い領域（Ｓ＜０．８）の限界値より低くすることで、人の目に対して色変化が目立つ高彩色な領域の画質を維持しつつ、他の領域での伸張係数を高く設定することが可能となる。Ｓが０に近い領域（本実施形態では、Ｓ≦０．５）の限界値を、Ｓがより高い領域（０．５＜Ｓ）の限界値より低くすることで、人の目に対して階調変化が目立つ無彩色な領域の画質を維持しつつ、他の領域での伸張係数を高く設定することが可能となる。
【００３４】
次に、本実施形態において、信号値Ｘ４−（ｐ、ｑ）は、Ｍｉｎ（ｐ、ｑ）と伸長係数αの積に基づき求めることができる。具体的には、
Ｘ４−（ｐ、ｑ）＝Ｍｉｎ（ｐ、ｑ）・α／χ・・・（１１）
に基づいて求めることができる。この式（１１）では、Ｍｉｎ（ｐ、ｑ）と伸長係数αの積をχで除しているが、これに限定するものではない。また、伸長係数αは、１画像表示フレ−ム毎に決定される。
【００３５】
以下、これらの点についての説明を行う。
【００３６】
一般に、第（ｐ、ｑ）番目の画素において、第１副画素の入力信号（信号値ｘ１−（ｐ、ｑ））、第２副画素の入力信号（信号値ｘ２−（ｐ、ｑ））、及び、第３副画素の入力信号（信号値ｘ３−（ｐ、ｑ））に基づき、円柱のＨＳＶ色空間における彩度（Ｓａｔｕｒａｔｉｏｎ）Ｓ（ｐ、ｑ）及び明度（Ｂｒｉｇｈｔｎｅｓｓ）Ｖ（Ｓ）（ｐ、ｑ）は、以下の式から求めることができる。
Ｓ（ｐ、ｑ）＝（Ｍａｘ（ｐ、ｑ）−Ｍｉｎ（ｐ、ｑ））／Ｍａｘ（ｐ、ｑ）・・・（１２−１）
Ｖ（Ｓ）（ｐ、ｑ）＝Ｍａｘ（ｐ、ｑ）・・・（１２−２）
【００３７】
ここで、Ｍａｘ（ｐ、ｑ）は、（ｘ１−（ｐ、ｑ），ｘ２−（ｐ、ｑ），ｘ３−（ｐ、ｑ））の３つの副画素の入力信号値の最大値であり、Ｍｉｎ（ｐ、ｑ）は、（ｘ１−（ｐ、ｑ），ｘ２−（ｐ、ｑ），ｘ３−（ｐ、ｑ））の３つの副画素の入力信号値の最小値である。本実施形態ではｎ＝８とした。すなわち、表示階調ビット数を８ビット（表示階調の値を０から２５５の２５６階調）とした。
【００３８】
白色を表示する第４副画素４９Ｗには、カラーフィルタが配置されていない。ここで、第１副画素４９Ｒに第１副画素の出力信号の最大信号値に相当する値を有する信号が入力され、第２副画素４９Ｇに第２副画素の出力信号の最大信号値に相当する値を有する信号が入力され、第３副画素４９Ｂに第３副画素の出力信号の最大信号値に相当する値を有する信号が入力されたときの、画素あるいは画素群を構成する第１副画素４９Ｒ、第２副画素４９Ｇ及び第３副画素４９Ｂの集合体の輝度をＢＮ１−３とし、画素あるいは画素群を構成する第４副画素４９Ｗに第４副画素の出力信号の最大信号値に相当する値を有する信号が入力されたときの第４副画素４９Ｗの輝度ＢＮ４としたときを想定する。即ち、第１副画素４９Ｒ、第２副画素４９Ｇ及び第３副画素４９Ｂの集合体によって最大輝度の白色が表示され、係る白色の輝度がＢＮ１−３で表される。すると、χを表示装置に依存した定数としたとき、定数χは、χ＝ＢＮ４／ＢＮ１−３で表される。
【００３９】
具体的には、第１副画素４９Ｒ、第２副画素４９Ｇ及び第３副画素４９Ｂの集合体に、以下の表示階調の値を有する入力信号、ｘ１−（ｐ、ｑ）＝２５５、ｘ２−（ｐ、ｑ）＝２５５、ｘ３−（ｐ、ｑ）＝２５５が入力されたときの白色の輝度ＢＮ１−３に対して、第４副画素４９Ｗに表示階調の値２５５を有する入力信号が入力されたと仮定したときの輝度ＢＮ４は、例えば、１．５倍である。即ち、本実施形態にあっては、χ＝１．５である。
【００４０】
ところで、信号値Ｘ４−（ｐ、ｑ）が上述した式（１１）で与えられる場合、Ｖmax（Ｓ）は、以下の式で表すことができる。
【００４１】
Ｓ≦Ｓ０の場合：
Ｖmax（Ｓ）＝（χ＋１）・（２ｎ−１）・・・（１３−１）
Ｓ０＜Ｓ≦１の場合：
Ｖmax（Ｓ）＝（２ｎ−１）・（１／Ｓ）・・・（１３−２）
ここで、Ｓ０＝１／（χ＋１）である。
【００４２】
このようにして得られた、第４の色を加えることで拡大されたＨＳＶ色空間における彩度Ｓを変数とした明度の最大値Ｖmax（Ｓ）が、例えば、信号処理部２０に一種のルック・アップ・テ−ブルとして記憶されており、あるいは、都度、信号処理部２０において求められる。
【００４３】
次に、第（ｐ、ｑ）番目の画素における出力信号値Ｘ１−（ｐ、ｑ），Ｘ２−（ｐ、ｑ），Ｘ３−（ｐ、ｑ），Ｘ４−（ｐ、ｑ）の求め方（伸長処理）を説明する。尚、以下の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。更には、階調−輝度特性（ガンマ特性，γ特性）を保持（維持）するように行われる。
【００４４】
また、いずれかの画素あるいは画素群において、入力信号値の全てが「０」である場合（若しくは小さい場合）、このような画素あるいは画素群を含めることなく、伸長係数αを求めればよい。
【００４５】
［工程−１００］
先ず、信号処理部２０は、複数の画素における副画素の入力信号値に基づき、これらの複数の画素における彩度Ｓ及び明度Ｖ（Ｓ）を求める。具体的には、第（ｐ、ｑ）番目の画素への第１副画素の入力信号値ｘ１−（ｐ、ｑ）、第２副画素の入力信号値ｘ２−（ｐ、ｑ）、第３副画素の入力信号値ｘ３−（ｐ、ｑ）に基づき、式（１２−１）及び式（１２−２）からＳ（ｐ、ｑ），Ｖ（Ｓ）（ｐ、ｑ）を求める。この処理を、全ての画素に対して行う。
【００４６】
［工程−１１０］
次いで、信号処理部２０において、複数の画素において求められたＶmax（Ｓ）／Ｖ（Ｓ）に基づき伸長係数α（Ｓ）を求める。
【００４７】
α（Ｓ）＝Ｖmax（Ｓ）／Ｖ（Ｓ）・・・（１４）
【００４８】
そして、複数の画素（本実施形態にあっては全てのＰ０×Ｑ０個の画素）において求められた伸長係数α（Ｓ）の値を昇順に並べ、Ｐ０×Ｑ０個の伸長係数α（Ｓ）の値の内、最小値からβ×Ｐ０×Ｑ０個のところに相当する伸長係数α（Ｓ）を伸長係数αとする。こうして、明度Ｖ（Ｓ）と伸長係数αの積から求められた伸長された明度の値が最大値Ｖmax（Ｓ）を越える画素の全画素に対する割合が所定の値（β）以下となるように伸長係数αを決定することができる。
【００４９】
本実施形態にあっては、限界値βを例えば、０以上０．２以下（０％以上２０％以下）とすることが好ましく、０．０００１以上０．２０以下（０．０１％以上２０％以下）とすることがより好ましく、０．００３以上０．０５以下（０．３％以上５％以下）とすることがさらに好ましい。このβの値は、種々の試験を行い、決定したものである。
【００５０】
Ｖmax（Ｓ）／Ｖ（Ｓ）の最小値を伸長係数αとした場合、入力信号値に対する出力信号値は（２８−１）を越えることがない。しかしながら、伸長係数αをＶmax（Ｓ）／Ｖ（Ｓ）の最小値ではなく、上述したように決定すると、伸長係数α（Ｓ）が伸長係数α未満である画素に対して伸長係数αが掛けられ、伸長された明度の値が最大値Ｖmax（Ｓ）を越えることになる。その結果、所謂「階調潰れ」が生じる。しかしながら、βの値を、上述したとおり、例えば０．００３乃至０．０５とすることで、階調潰れが目立ち、不自然な画像となるといった現象の発生を防止することができた。一方、βの値が０．０５を越えると、場合によっては、階調潰れの目立つ、不自然な画像となることが確認された。尚、伸長処理によって出力信号値が限界値である（２ｎ−１）を越える場合には、出力信号値を限界値である（２ｎ−１）とすればよい。
【００５１】
ところで、通常、伸張係数α（Ｓ）の値は、１．０を越え、かつ、１．０近傍に多く集まる。したがって、Ｖmax（Ｓ）／Ｖ（Ｓ）の最小値を伸長係数αとした場合、出力信号値の伸長度合いが小さく、屡々、表示装置の低消費電力化を達成することが困難となる。然るに、例えば、βの値を０以上０．２以下とすることで、少なくとも一部の空間の伸長係数αの値を大きくすることができ、後述するように、面状光源装置５０の輝度を（１／α）倍とすればよいので、表示装置の低消費電力化を達成することが可能となる。
【００５２】
［工程−１２０］
次に、信号処理部２０は、第（ｐ、ｑ）番目の画素における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づき求める。具体的には、本実施形態にあっては、信号値Ｘ４−（ｐ、ｑ）は、Ｍｉｎ（ｐ、ｑ）、伸長係数α及び定数χに基づき決定される。より具体的には、本実施形態にあっては、上述したとおり、
Ｘ４−（ｐ、ｑ）＝Ｍｉｎ（ｐ、ｑ）・α／χ・・・（１１）
に基づき求める。尚、Ｘ４−（ｐ、ｑ）をＰ０×Ｑ０個の全画素において求める。
【００５３】
［工程−１３０］
その後、信号処理部２０は、第（ｐ、ｑ）番目の画素における信号値Ｘ１−（ｐ、ｑ）を、信号値ｘ１−（ｐ、ｑ）、伸長係数α及び信号値Ｘ４−（ｐ、ｑ）に基づき求め、第（ｐ、ｑ）番目の画素における信号値Ｘ２−（ｐ、ｑ）を、信号値ｘ２−（ｐ、ｑ）、伸長係数α及び信号値Ｘ４−（ｐ、ｑ）に基づき求め、第（ｐ、ｑ）番目の画素における信号値Ｘ３−（ｐ、ｑ）を、信号値ｘ３−（ｐ、ｑ）、伸長係数α及び信号値Ｘ４−（ｐ、ｑ）に基づき求める。具体的には、第（ｐ、ｑ）番目の画素における信号値Ｘ１−（ｐ、ｑ）、信号値Ｘ２−（ｐ、ｑ）及び信号値Ｘ３−（ｐ、ｑ）を、上述したとおり、以下の式に基づき求める。
Ｘ１−（ｐ、ｑ）＝α・ｘ１−（ｐ、ｑ）−χ・Ｘ４−（ｐ、ｑ）
Ｘ２−（ｐ、ｑ）＝α・ｘ２−（ｐ、ｑ）−χ・Ｘ４−（ｐ、ｑ）
Ｘ３−（ｐ、ｑ）＝α・ｘ３−（ｐ、ｑ）−χ・Ｘ４−（ｐ、ｑ）
【００５４】
信号処理部２０は、式（１１）に示したとおり、Ｍｉｎ（ｐ、ｑ）の値をαによって伸長する。このように、Ｍｉｎ（ｐ、ｑ）の値がαによって伸長されることで、白色表示副画素（第４副画素４９Ｗ）の輝度が増加するだけでなく、上記式に示すとおり、赤色表示副画素、緑色表示副画素及び青色表示副画素（第１副画素４９Ｒ、第２副画素４９Ｇ及び第３副画素４９Ｂ）の輝度も増加する。それ故、色のくすみが発生するといった問題の発生を確実に回避することができる。即ち、Ｍｉｎ（ｐ、ｑ）の値が伸長されていない場合と比較して、Ｍｉｎ（ｐ、ｑ）の値がαによって伸長されることで、画像全体として輝度はα倍となる。したがって、例えば、静止画等の画像表示を高輝度にて行うことができ、最適である。
【００５５】
本実施形態の表示装置は、第（ｐ、ｑ）番目の画素における信号値Ｘ１−（ｐ、ｑ）、信号値Ｘ２−（ｐ、ｑ）、信号値Ｘ３−（ｐ、ｑ）及び信号値Ｘ４−（ｐ、ｑ）は、α倍、伸長されている。それ故、伸長されていない状態の画像の輝度と同じ画像の輝度とするためには、面状光源装置５０の輝度を、伸長係数αに基づき減少させればよい。具体的には、面状光源装置５０の輝度を、（１／α）倍とすればよい。これによって、面状光源装置５０の消費電力の低減を図ることができる。
【００５６】
また、上述したように、本実施形態の表示装置は、ＨＳＶ色空間を複数の空間に分割し、分割した空間毎に限界値（Ｌｉｍｉｔ値）βを設定することで、画質を維持しつつ、消費電力を低減することができる値を伸張係数とすることができる。
【００５７】
ここで、上記実施形態では、色相と彩度と基準としてＨＳＶ色空間を分割したが、つまり、色相と彩度のそれぞれにしきい値を設定し、当該しきい値を境界としてＨＳＶ色空間を各空間に分割したがこれに限定されない。信号処理部２０は、上述したように色相と彩度と明度の少なくとも１つを基準としてＨＳＶ色空間を分割すればよい。したがって、色相と彩度と明度との３つのうち１つのパラメータを基準としてＨＳＶ色空間を分割してもよいし、２つのパラメータを基準としてＨＳＶ色空間を分割してもよいし、３つ全てのパラメータを基準としてＨＳＶ色空間を分割してもよい。
【００５８】
以下、図７及び図８を用いて、ＨＳＶ色空間（再現ＨＳＶ色空間）を分割する一例について説明する。図７は、再現ＨＳＶ色空間の彩度と明度との関係を示す概念図である。図８は、再現ＨＳＶ色空間の彩度と明度との関係を示す概念図である。図７及び図８に示す例は、色相Ｈが０°≦Ｈ＜３６０°、彩度Ｓが０．５≦Ｓ、明度Ｖが０≦Ｖ≦Ｍａｘ＿１に含まれる空間７０の限界値β１´を０．０１（１％）とし、色相Ｈが０°≦Ｈ＜３６０°、彩度ＳがＳ＜０．５、明度Ｖが０≦Ｖ≦Ｍａｘ＿１に含まれる空間７２の限界値β２´を０．０１（１％）とし、色相Ｈが０°≦Ｈ＜３６０°、彩度Ｓが０．５≦Ｓ、明度ＶがＭａｘ＿１＜Ｖ≦Ｍａｘ＿２に含まれる空間７４の限界値β３´を０．０３（３％）とし、色相Ｈが０°≦Ｈ＜３６０°、彩度ＳがＳ＜０．５、明度ＶがＭａｘ＿１＜Ｖ≦Ｍａｘ＿２に含まれる空間７６の限界値β４´を０．０３（３％）する。
【００５９】
つまり、図７及び図８に示す例は、明度Ｖが０≦Ｖ≦Ｍａｘ＿１に含まれる場合と、０≦Ｖ≦Ｍａｘ＿１に含まれない（つまりＭａｘ＿１＜Ｖ≦Ｍａｘ＿２である）場合とで、限界値βを異なる値とする。これにより、図７及び図８に示すように、Ｓ≦０．５かつ０≦Ｖ≦Ｍａｘ＿１の空間７０及び０．５＜Ｓかつ０≦Ｖ≦Ｍａｘ＿１の空間７２と、Ｓ≦０．５かつＭａｘ＿１＜Ｖ≦Ｍａｘ＿２の空間７４及び０．５＜ＳかつＭａｘ＿１＜Ｖ≦Ｍａｘ＿２の空間７６と、で明度Ｖの最大値を示す最大値線６６に対する限界値の値を示す限界値線との関係が変化する。
【００６０】
また、表示装置１０は、再現ＨＳＶ色空間を複数に分割し、複数に分割した空間に異なる限界値が設定された空間を備えていればよく、再現ＨＳＶ色空間の一部に限界値を設定しない空間、つまり、伸張係数の算出時に解析の対象としない空間を設けてもよい。表示装置１０は、一部の空間に限界値を設定しなくても、制限の対象とする空間にそれぞれの空間に適した限界値を設定でき、上記効果を得ることができる。
【００６１】
また、表示装置１０は、再現ＨＳＶ色空間を分割する規則とそれぞれの空間に設定する限界値の情報とを示すデータを、複数備え、使用するデータを切り換えるようにしてもよい。例えば、表示装置１０は、表示させる画像が動画か静止画かによって、使用する再現ＨＳＶ色空間を分割する規則とそれぞれの空間に設定する限界値の情報とを切り換えるようにしてもよい。また、表示装置１０は、使用される環境（屋内か屋外か、明るいか暗いか）に応じて、使用するデータを切り換えるようにしてもよい。
【００６２】
次に、図９を用いて、表示装置の制御動作の一例を説明する。図９は、表示装置の制御動作の一例を示すフローチャートである。表示装置１０は、主に信号処理部２０によって演算処理を実行することで図９に示す処理を実現する。
【００６３】
信号処理部２０は、再現ＨＳＶ色空間を複数に分割し（ステップＳ１２）、分割した空間のそれぞれに対して限界値を設定する（ステップＳ１４）。信号処理部２０は、記憶されたデータを読み出すことで、再現ＨＳＶ色空間の分割と限界値の設定を行う。
【００６４】
信号処理部２０は、限界値を設定したら、入力信号を取得し（ステップＳ１６）、取得した入力信号と再現ＨＳＶ色空間（明度の最大値）と限界値とに基づいて伸張係数を決定する（ステップＳ１８）。具体的には上述した工程で処理を行い、伸張した出力信号が再現ＨＳＶ色空間（明度の最大値）を超える範囲が、限界値を超えない伸張係数を求める。
【００６５】
その後、信号処理部２０は、入力信号と伸張係数に基づいて各副画素の出力信号を決定し、出力し（ステップＳ２０）、さらに光源の出力を調整する（ステップＳ２２）。つまり、信号処理部２０は、伸張した出力信号を画像表示パネル駆動回路４０に出力し、伸張した結果に対応して算出した光源（面状光源装置５０）の出力の条件を面状光源装置制御信号として、面状光源装置制御回路６０に出力する。
【００６６】
信号処理部２０は、光源の出力を調整したら、画像の表示を終了するかを判定する（ステップＳ２４）。信号処理部２０は、画像の表示を終了しない（ステップＳ２４でＮｏ）と判定した場合、ステップＳ１６に進む。これにより、信号処理部２０は、画像の表示を終了するまで、入力信号（画像）に応じて、伸張係数を決定し、その伸張係数に基づいて出力信号を生成し、信号の伸張に対応して面状光源装置の光量を調整する処理を繰り返す。信号処理部２０は、画像の表示を終了する（ステップＳ２４でＹｅｓ）と判定した場合、本処理を終了する。
【００６７】
表示装置１０は、以上の処理を行うことで、上述した効果を得ることができる。なお、表示装置１０は、第４副画素を備える場合でも、当該第４副画素を使用せずに画像を表示させるモードを備えていてもよい。
【００６８】
＜２．適用例＞
次に、上記実施形態及びその変形例に係る表示装置１０の一適用例について説明する。図１０は、一適用例に係る電子機器の構成の一例を示す斜視図である。電子機器１００は、携帯電話機であり、例えば、図１０に示すように、本体部１１１と、本体部１１１に対して開閉可能に設けられた表示体部１１２とを備えている。本体部１１１は、操作ボタン１１５と、送話部１１６を有している。また、電子機器１００は、電子機器１００の全体の制御を司る制御装置１２０を内蔵している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、制御装置１２０の一部として、またはその制御装置１２０とは別に、本体部１１１または表示体部１１２の内部に設けられている。電子機器１００の全体の制御を司る制御装置１２０は、表示装置１１３の制御部に映像信号を供給する。つまり、制御装置１２０は、電子機器１００で表示する映像を決定し、決定した映像の映像信号を表示装置１１３の制御部に送ることで、表示装置１１３に決定した映像を表示させる。
【００６９】
表示装置１１３は、上記実施の形態及びその変形例に係る表示装置１０と同一の構成を備えている。これにより、表示装置１１３において、画質の低下を抑制しつつ、低消費電力化を実現することができる。
【００７０】
なお、上記実施の形態及びその変形例に係る表示装置１０を適用可能な電子機器としては、以上に説明した携帯電話機等の他にも、表示装置付き時計、表示装置付き腕時計、パーソナルコンピュータ、液晶テレビ、ビューファインダ型またはモニタ直視型のビデオテープレコ−ダ、カーナビゲーション装置、ページャ、電子手帳、電卓、ワードプロセッサ、ワークステーション、テレビ電話機、ＰＯＳ端末器等が挙げられる。
【００７１】
ここで、電子機器は、画像を表示するアプリケーション（ソフトウェアや機能）に応じて、再現ＨＳＶ色空間を分割する規則とそれぞれの空間に設定する限界値の情報とを示すデータ（以下、条件という）を切り換えるようにしてもよい。図１１は、電子機器の制御動作の一例を示すフローチャートである。電子機器１００は、主に表示装置１１３の信号処理部２０と制御装置１２０とによって演算処理を実行することで図１１に示す処理を実現する。
【００７２】
制御装置１２０は、実行されているアプリケーションを特定し（ステップＳ３０）、アプリケーションに対応した条件を抽出する（ステップＳ３１）。
【００７３】
次に、表示装置１１３は、再現ＨＳＶ色空間を複数に分割し（ステップＳ３２）、分割した空間のそれぞれに対して限界値を設定する（ステップＳ３４）。表示装置１１３は、記憶されたデータを読み出すことで、色空間の分割と限界値の設定を行う。
【００７４】
表示装置１１３は、限界値を設定したら、入力信号を取得し（ステップＳ３６）、取得した入力信号と再現ＨＳＶ色空間（明度の最大値）と限界値とに基づいて伸張係数を決定する（ステップＳ３８）。具体的には上述した工程で処理を行い、伸張した出力信号が再現ＨＳＶ色空間（明度の最大値）を超える範囲が、限界値を超えない伸張係数を求める。
【００７５】
その後、表示装置１１３は、入力信号と伸張係数とに基づいて各副画素の出力信号を決定し、出力し（ステップＳ４０）、さらに光源の出力を調整する（ステップＳ４２）。表示装置１１３は、光源の出力を調整したら、画像の表示を終了するかを判定する（ステップＳ４４）。表示装置１１３は、画像の表示を終了しない（ステップＳ４４でＮｏ）と判定した場合、制御装置１２０によってアプリケーションの切り換えがあるかを判定する（ステップＳ４６）。制御装置１２０は、アプリケーションの切り換えあり（ステップＳ４６でＹｅｓ）と判定した場合、ステップＳ３１に進み、条件を切り換える。制御装置１２０は、アプリケーションの切り換えなし（ステップＳ４６でＮｏ）と判定した場合、ステップＳ３６に進む。これにより、表示装置１１３は、画像の表示を終了するまで、入力信号（画像）に応じて、伸張係数を決定し、その伸張係数に基づいて出力信号を生成し、信号の伸張に対応して面状光源装置の光量を調整する処理を繰り返す。また、電子機器１００は、アプリケーションが切り換えられた場合、そのアプリケーションの条件に基づいて入力信号を伸長させることができる。表示装置１１３は、画像の表示を終了する（ステップＳ４４でＹｅｓ）と判定した場合、本処理を終了する。
【００７６】
電子機器１００は、以上の処理を行うことで、上述した効果を得ることができる。また、電子機器１００は、アプリケーションの切り換えに対応して条件を切り換えることで、例えば、画質の劣化が許容される場合、伸張係数を大きくし、高い画質が要求される場合、伸張係数を小さくすることができる。これにより、利用用途に対応し、さらに画質を維持しかつ消費電力を低減することができる。
【００７７】
また、本技術は、以下の構成をとることもできる。
（１）
第１の色を表示する第１副画素、第２の色を表示する第２副画素、第３の色を表示する第３副画素及び第４の色を表示する第４副画素を含む画素が２次元マトリクス状に配列された画像表示パネルと、
入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を備え、
前記信号処理部は、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定し、
前記入力信号の各副画素の信号に対して乗算した値のうち明度の最大値を超える値が、前記明度の最大値に前記限界値を乗算した値を超えない範囲で、前記入力信号に対する伸張係数αを算出し、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力することを特徴とする表示装置。
（２）
前記信号処理部は、前記彩度を基準として前記再現ＨＳＶ色空間を２つ以上の空間に分割することを特徴とする（１）に記載の表示装置。
（３）
前記信号処理部は、前記彩度が最も高い空間の前記限界値を、前記彩度が２番目に高い空間の前記限界値よりも小さくすることを特徴とする（２）に記載の表示装置。
（４）
前記信号処理部は、前記彩度が最も小さい空間の前記限界値を、前記彩度が２番目に小さい空間の前記限界値よりも小さくすることを特徴とする（２）または（３）に記載の表示装置。
（５）
前記信号処理部は、前記色相を基準として前記再現ＨＳＶ色空間を２つ以上の空間に分割することを特徴とする（１）から（４）のいずれか一つに記載の表示装置。
（６）
前記信号処理部は、前記明度を基準として前記再現ＨＳＶ色空間を２つ以上の空間に分割することを特徴とする（１）から（５）のいずれか一つに記載の表示装置。
（７）
前記信号処理部は、前記再現ＨＳＶ色空間の全空間に前記明度の限界値を設定することを特徴とする（１）から（６）のいずれか一つに記載の表示装置。
（８）
前記信号処理部は、前記再現ＨＳＶ色空間の全空間の一部に前記明度の限界値を設定しない空間を含むことを特徴とする（１）から（７）のいずれか一つに記載の表示装置。
（９）
前記第４の色は、白色であることを特徴とする（１）から（８）のいずれか一つに記載の表示装置。
（１０）
前記限界値は、０以上０．２０以下であることを特徴とする（１）から（９）のいずれか一つに記載の表示装置。
（１１）
（１）から（１０）のいずれか一つに記載の表示装置と、
前記表示装置に前記入力信号を供給する制御装置と、を有する電子機器。
（１２）
第１の色を表示する第１副画素、第２の色を表示する第２副画素、第３の色を表示する第３副画素及び第４の色を表示する第４副画素を含む画素が２次元マトリクス状に配列された画像表示パネルと、入力信号の入力ＨＳＶ色空間の入力値を、前記第１の色、前記第２の色、前記第３の色及び前記第４の色で再現される再現ＨＳＶ色空間の再現値に変換して生成し、生成した出力信号を前記画像表示パネルに出力する信号処理部と、を備える表示装置の駆動方法であって、
前記再現ＨＳＶ色空間を彩度、明度及び色相の少なくとも１つで複数に分割し、分割した複数の空間のうち少なくとも２つの空間に対して、色相及び彩度の値の組み合わせにおいて前記再現ＨＳＶ色空間の明度の最大値に対して当該最大値を超える幅の割合の上限である限界値として異なる値を設定するステップと、
前記入力信号の各副画素の信号に対して乗算した値のうち明度の最大値を超える値が、前記明度の最大値に前記限界値を乗算した値を超えない範囲で、前記入力信号に対する伸張係数αを算出するステップとし、
少なくとも前記第１副画素の入力信号及び前記伸長係数αに基づいて前記第１副画素の出力信号を算出して前記第１副画素へ出力し、
少なくとも前記第２副画素の入力信号及び前記伸長係数αに基づいて前記第２副画素の出力信号を算出して前記第２副画素へ出力し、
少なくとも前記第３副画素の入力信号及び前記伸長係数αに基づいて前記第３副画素の出力信号を算出して前記第３副画素へ出力し、
前記第１副画素の入力信号、前記第２副画素の入力信号及び前記第３副画素の入力信号に基づいて前記第４副画素の出力信号を算出し、前記第４副画素へ出力するステップと、を含むことを特徴とする表示装置の駆動方法。
【符号の説明】
【００７８】
１０  表示装置
２０  信号処理部
３０  画像表示パネル
４０  画像表示パネル駆動回路
４１  信号出力回路
４２  操作回路
４８  画素
５０  面状光源装置
６０  面状光源装置制御回路
４９Ｒ  第１副画素
４９Ｇ  第２副画素
４９Ｂ  第３副画素
４９Ｗ  第４副画素
【図１】
2014112180.tif 000003
【図２】
2014112180.tif 000004
【図３】
2014112180.tif 000005
【図４】
2014112180.tif 000006
【図５】
2014112180.tif 000007
【図６】
2014112180.tif 000008
【図７】
2014112180.tif 000009
【図８】
2014112180.tif 000010
【図９】
2014112180.tif 000011
【図１０】
2014112180.tif 000012
【図１１】
2014112180.tif 000013